(57)【要約】【課題】  踊り場を強固に且つ安定良く支持でき、耐震性を大幅に高めること。踊り場の水平出しが容易にできること。工事の省力化及び品質の安定化を図ること。【解決手段】  住宅の階下と階上を連絡する階段１の踊り場３の下方が、トイレなどの機能空間とされている。該機能空間に面した階段壁２に沿って増壁パネル５が立設されている。踊り場３の階段壁２と対向する端部３ｂを増壁パネル５の上端面５ａにより支持している。【選択図】        図１
2005240321.tif 000002
【特許請求の範囲】
【請求項１】
住宅の階下と階上を連絡する階段の踊り場の下方が、トイレなどの機能空間とされ、該機能空間に面した階段壁に沿って増壁パネルが立設され、踊り場の階段壁と対向する端部を増壁パネルの上端面により支持してなることを特徴とする踊り場支持用増壁パネルの構造。
【発明の詳細な説明】
【技術分野】
【０００１】
本発明は、増壁パネルを用いて階段の踊り場を支持する構造に関するものである。
【背景技術】
【０００２】
従来から、住宅の階段の下方に、便器やロータンクを設置すると共に内外を仕切るようにドアを設置することで、トイレ空間として有効利用することがよく知られている。
【０００３】
従来では、踊り場３の下方がトイレ空間４となっている場合において、踊り場３を支持するにあたっては、図６に示すＴ型金具６を用い、踊り場３の一端部３ａを下側階段１Ａにおける最上段の蹴込板１４にて支持する一方で、踊り場３の階段壁２側の他端部３ｂを上記Ｔ型金具６で支持するようにしている（例えば、特許文献１参照）。
【０００４】
ところが、上記特許文献１に見られる従来例では、踊り場３からの荷重をＴ型金具６で負担することとなるため、とくに大地震等によってＴ型金具６に強度な揺れが加わった場合は、Ｔ型金具６に曲げが発生したり、釘の引き抜き現象が起き易くなり、安全性が問われる。また、階段壁２が石膏ボード等の間仕切りパネルからなる場合、Ｔ型金具６を強固に釘打ち固定することが困難となる。さらに従来では、Ｔ型金具６を階段壁２に釘打ち固定する際に、Ｔ型金具６を水平に調整する必要がある。このため施工現場においては、Ｔ型金具６の取り付け作業と、Ｔ型金具６の水平出し作業がそれぞれ必須となり、階段１の施工作業が非常に面倒で、困難なものであった。
【特許文献１】特開２００３−２２１９０９号公報
【発明の開示】
【発明が解決しようとする課題】
【０００５】
本発明は上記の従来の問題点に鑑みて発明したものであって、踊り場の下方がトイレ等の空間となっている場合において、踊り場を強固に且つ安定良く支持でき、耐震性を大幅に高めることができると共に、踊り場の水平出しが容易にでき、工事の省力化及び品質の安定化を図ることができる踊り場支持用増壁パネルの構造を提供することを課題とするものである。
【課題を解決するための手段】
【０００６】
前記課題を解決するために本発明は、住宅の階下と階上を連絡する階段１の踊り場３の下方が、トイレなどの機能空間とされ、該機能空間に面した階段壁２に沿って増壁パネル５が立設され、踊り場３の階段壁２と対向する端部３ｂを増壁パネル５の上端面５ａにより支持してなることを特徴としている。
【０００７】
このような構成とすることで、踊り場３からの荷重が増壁パネル５で負担されることとなり、踊り場３の支持強度を簡単に向上させることができ、しかも大地震等によって増壁パネル５に強度な揺れが加わった場合であっても、従来のようなＴ型金具を用いた支持構造と比較して、踊り場３を強固に且つ安定良く支持できる。そのうえ、増壁パネル５の上端面５ａに踊り場３の端部３ｂを載置するだけで、踊り場３の水平出しが容易にできるので、踊り場３を適正位置に精度良く施工できるようになり、従来のようなＴ型金具を用いた場合のような水平出し作業も不要となる。
【発明の効果】
【０００８】
本発明に係る踊り場支持用増壁パネルの構造にあっては、踊り場の下方がトイレ等の空間となっている場合において、増壁パネルを用いて踊り場を強固に且つ安定良く支持でき、耐震性を大幅に高めることができると共に、踊り場の水平出しも容易となり、その結果、現場での工事を省力化及び品質の安定化を図ることができるものである。
【発明を実施するための最良の形態】
【０００９】
以下、本発明を添付図面に示す実施形態に基いて説明する。
【００１０】
本実施形態では、図１、図２に示すように、住宅の階下と階上を連絡する階段１が、中間に踊り場３を備えたＵ字型階段で構成され、踊り場３の下方がトイレ空間４となっている。
【００１１】
トイレ空間４には、図３に示すように、便器４０やロータンク４１が設置されると共に、ドア（図示せず）で仕切られる出入り用開口部８が開設されている。トイレ空間４の天井部９は、ドア側の天井部分９ａが高くなっており、奥へ入るほど下方へ傾斜した傾斜部９ｂとなり、便器が設置される側の天井部分９ｃが低くなっている。トイレ空間４の奥行きＡは例えば、１８００ｍｍ、ドア側の天井高さＢは例えば２５００ｍｍ程度とされる。なお図３中の１０は人検知センサ、１１はファン及び照明器、１２は開口部８の上方の垂れ壁、１３は２階の床面である。
【００１２】
ここで、踊り場３の下側階段１Ａと対向する一端部３ａは、下側階段１Ａにおける最上段の蹴込板１４にて支持される。図４に示す例では、踊り場３の一端部３ａの下面に設けた凹溝５０に最上段の蹴込板１４の上端部を嵌め込んだ状態で、最上段の蹴込板１４の下端部が釘１６により最上段の踊り場踏板１５の奥端部１５ａに対して固定されている。
【００１３】
踊り場３の他端部３ｂは、階段壁２の一方の壁面２Ａに対向配置される。階段壁２は例えば間仕切りパネル１６で構成される。本例の間仕切りパネル１６は、図５に示すように、間仕切りフレーム１６ａの表裏両側に石膏ボード等のパネル材１６ｂを取着したものである。この間仕切りパネル１６の表面に沿って踊り場支持用の増壁パネル５が固定されている。なお、踊り場３の階段壁２の他方の壁面２Ｂと対向する一側端部３ｃは、該壁面２Ｂに固定される間仕切り下地桟１８上に載置されるようになっている。
【００１４】
踊り場支持用の増壁パネル５は、例えば図５に示すように、表面に化粧仕上げを施した外装材５ｂの裏面にフレーム部５ｃを枠組したものである。この増壁パネル５の上下寸法Ｈ（図１）は床面７から踊り場３の他端部３ｂの取り付け位置までの高さと略等しく設定され、増壁パネル５の幅寸法Ｌは踊り場３の幅寸法Ｄ（図１）と略等しく設定される。
【００１５】
上記間仕切りパネル１６に対する増壁パネル５の固定方法として、図５の例では、釘１７を増壁パネル５のフレーム部５ｃを貫通して間仕切りフレーム１６ａに打入する場合を例示しているが、もちろん間仕切りフレーム１６ａに打入する場合に限らず、パネル材１６ｂに打入してもよいものであり、さらには釘打ち以外に、貼着などで固着してもよいものである。なお図５中の５ｄは増壁パネル５の裏面に追加配置される釘止め用下地桟である。
【００１６】
しかして、踊り場３を支持するにあたっては、例えば、架台２０上に下側階段１Ａを設置する。一方、増壁パネル５の外装材５ｂをトイレ空間４内に向けた状態で、増壁パネル５の下端部を床面７に立て掛け、増壁パネル５を間仕切りパネル１６の表面に沿わせた状態にして、増壁パネル５を間仕切りパネル１６に対して釘打ち固定する。その後、図４に示すように、踊り場３の一端部３ａを下側階段１Ａの最上段の蹴込板１４により支持する一方で、踊り場３の他端部３ｂを上記増壁パネル５の上端面５ａに載置し、踊り場３の他端部３ｂを増壁パネル５に釘打ち固定する。その後、上側階段１Ｂを施工する。
【００１７】
上記のように、間仕切りパネル１６に沿って増壁パネル５を被着し、この増壁パネル５の上端面５ａに踊り場３の他端部３ｂを支持しているので、増壁パネル５には階段１からの鉛直方向の荷重が加わり、その荷重を上下方向に立設されいる増壁パネル５で十分に負担できる構造となる。従って、大地震等によって増壁パネル５に強度な揺れが加わった場合であっても、従来のようなＴ型金具による支持構造と比較して、踊り場３を強固に且つ安定良く支持できるものであり、そのうえ増壁パネル５は間仕切りパネル１６に釘止めされているので、増壁パネル５に曲げや撓みが発生することのない耐力壁となる。ちなみに、従来のＴ型金具を石膏ボード等のパネル材に釘打ちした場合では、Ｔ型金具に地震時に大きな荷重がかかり、Ｔ型金具が曲がったり、釘の引き抜き現象が起こりやすいが、本発明では、増壁パネル５には階段１からの鉛直方向の荷重が加わるのみで、しかも増壁パネル５を間仕切りパネル１６に固定している釘に対して引き抜く方向に荷重が殆んどかからないため、従来のような釘の引き抜き現象は起こらず、増壁パネル５が間仕切りパネル１６から引き剥がされる心配がない。また、増壁パネル５の厚みが薄い場合でも、鉛直方向の荷重を支えることができる範囲であれば、十分な支持強度が得られるようになり、増壁パネル５の製造コストを低減できると共に、トイレ空間４の有効使用スペースが増壁パネル５によって狭められるのを極力防止できるという利点もある。そのうえ増壁パネル５の外装材５ｂは、トイレ空間４の化粧壁としても機能するようになる。さらに踊り場３の施工時には、四角形状をした増壁パネル５の上端面５ａに踊り場３の端部３ｂを載置するだけで、踊り場３の水平出しが容易にできるので、踊り場３を適正位置に精度良く施工できるようになり、従来のようなＴ型金具を用いた場合のような水平出し作業も不要となる。この結果、現場での工事を省力化できると共に品質の安定化を図ることができるものである。
【００１８】
また、現場において、踊り場３の高さ位置や幅寸法に合わせて増壁パネル５をカットして、その縦横方向の寸法を容易に調整できるので、施工業者にとっての使い勝手も飛躍的に向上する。なお、増壁パネル５のサイズを階段１の種類に合わせて予め製品ユニット化することも可能であり、この場合、量産性に適したものとなり、生産性、施工性、品質が一層向上すると共に、現場での施工効率がより高められるようになる。
【００１９】
本発明の増壁パネル５は、Ｕ字型階段の踊り場に適用されるだけでなく、Ｕ字型以外の他の階段の踊り場にも広く適用されるものである。
【００２０】
また、増壁パネル５が固着される階段壁２は、石膏ボード等の間仕切りパネル１６に限らず、コンクリート壁或いは木製壁などであってもよく、あらゆる種類の階段壁に適用できる。
【００２１】
また、踊り場３の下方の機能空間として、トイレ空間４に限らず、例えば洗濯機などを設置する空間、主婦が洗濯やアイロンがけなどの家事を行うための空間、さらにはクロゼットのような収納空間なども広く含まれる。
【図面の簡単な説明】
【００２２】
【図１】本発明の一実施形態を説明する分解斜視図である。
【図２】同上の平面図である。
【図３】図２のＦ−Ｆ線に沿う縦断面図である。
【図４】図２のＧ−Ｇ線に沿う縦断面図である。
【図５】図４のＭ−Ｍ線に沿う縦断面図である。
【図６】従来例の断面図である。
【符号の説明】
【００２３】
１  階段
２  階段壁
３  踊り場
３ｂ  端部
５  増壁パネル
５ａ  上端面
【図１】
2005240321.tif 000003
【図２】
2005240321.tif 000004
【図３】
2005240321.tif 000005
【図４】
2005240321.tif 000006
【図５】
2005240321.tif 000007
【図６】
2005240321.tif 000008